(57)【要約】【課題】タスクの実行に伴い１枚の画像が徐々に現れるように表示を行う。【解決手段】本実施形態に係る画像表示プログラムは、複数の領域に分割された初期画像を表示部に表示するステップと、前記初期画像の分割領域毎に設定されているタスクが実行されたか否かを判定するステップと、前記タスクが実行されたと判定された分割領域を、メイン画像の対応部分に置き換えて前記表示部に表示するステップと、をコンピュータに実行させる。【選択図】図１
2020071853.tif 000002
【特許請求の範囲】
【請求項１】
複数の領域に分割された初期画像を表示部に表示するステップと、
前記初期画像の分割領域毎に設定されているタスクが実行されたか否かを判定するステップと、
前記タスクが実行されたと判定された分割領域を、メイン画像の対応部分に置き換えて前記表示部に表示するステップと、
をコンピュータに実行させることを特徴とする画像表示プログラム。
【請求項２】
前記初期画像はカレンダー画像であり、前記分割領域は日付に対応し、前記タスクは、対応する日付の１日の経過であることを特徴とする請求項１に記載の画像表示プログラム。
【請求項３】
音楽アルバムの楽曲データを再生するステップを前記コンピュータにさらに実行させ、
前記分割領域には前記音楽アルバムの曲番号が割り当てられており、
前記タスクは、割り当てられた曲番号の楽曲の再生であることを特徴とする請求項１に記載の画像表示プログラム。
【請求項４】
電子書籍を閲覧するステップを前記コンピュータにさらに実行させ、
前記分割領域には前記電子書籍のページ番号が割り当てられており、
前記タスクは、割り当てられたページ番号のページの閲覧であることを特徴とする請求項１に記載の画像表示プログラム。
【請求項５】
前記初期画像は、前記コンピュータの記憶部に格納された寄せ書き文章データの数に分割され、
各分割領域に前記寄せ書き文章データが対応付けられており、
前記タスクは、前記表示部による前記寄せ書き文章データの表示であることを特徴とする請求項１に記載の画像表示プログラム。
【請求項６】
前記初期画像、前記メイン画像、及び前記タスクの情報をサーバ装置から受信するステップをさらに前記コンピュータに実行させることを特徴とする請求項１乃至５のいずれかに記載の画像表示プログラム。
【請求項７】
複数の領域に分割された初期画像、メイン画像、及び前記初期画像の各分割領域に設定されたタスクの情報を記憶する記憶部と、
前記初期画像の分割領域毎に設定されているタスクが実行されたか否かを判定する判定部と、
前記初期画像を表示部に表示し、前記タスクが実行されたと判定した分割領域を前記メイン画像の対応部分に置き換えて前記表示部に表示する画像表示処理部と、
を備える画像表示装置。
【請求項８】
複数の領域に分割された初期画像及びメイン画像をサーバ装置から受信し、前記初期画像を表示部に表示するステップと、
現在位置情報を前記サーバ装置へ送信するステップと、
前記サーバ装置から前記現在位置情報が指定地点の位置情報と一致しているという判定結果を受信すると、前記初期画像のうち前記指定地点に対応する分割領域を、前記メイン画像の対応部分に置き換えて前記表示部に表示するステップと、
をコンピュータに実行させることを特徴とする画像表示プログラム。
【請求項９】
複数の領域に分割された初期画像、前記複数の領域に対応する複数の指定地点の位置情報、及びメイン画像を格納する記憶部と、
前記初期画像及び前記メイン画像をユーザ端末へ送信し、前記初期画像が前記ユーザ端末の表示部に表示されるようにする画像送信部と、
前記ユーザ端末から現在位置情報を受信し、前記現在位置情報が、前記複数の指定地点の位置情報のいずれかと一致するか否か判定する判定部と、
前記判定部による判定結果を前記ユーザ端末に通知し、前記初期画像のうち位置情報が一致した指定地点に対応する分割領域が前記メイン画像の対応部分に置き換えて前記表示部に表示されるようにする判定結果通知部と、
を備えるサーバ装置。
【請求項１０】
請求項９に記載のサーバ装置と、
前記サーバ装置から受信した前記初期画像を表示する表示部を有し、現在位置情報を前記サーバ装置へ送信し、前記サーバ装置から前記現在位置情報が指定地点の位置情報と一致しているという判定結果を受信すると、前記初期画像のうち前記指定地点に対応する分割領域を、前記メイン画像の対応部分に置き換えて前記表示部に表示するユーザ端末と、
を備えるラリー実行システム。
【発明の詳細な説明】
【技術分野】
【０００１】
本発明は、画像表示プログラム、画像表示装置、サーバ装置及びラリー実行システムに関する。
【背景技術】
【０００２】
芸術性の高い絵画やフォト等の画像データがインターネット上で販売されている。例えばユーザは、料金の支払い後、画像データをダウンロードし、購入した画像をパーソナルコンピュータやスマートフォン等の壁紙（待ち受け画面）に設定している。
【０００３】
従来は、どのような画像か知っている状態で購入するため、購入後の楽しみが少なく、すぐに飽きてしまうことがあった。また、一枚画を鑑賞するという楽しみ方しかできなかった。
【先行技術文献】
【特許文献】
【０００４】
【特許文献１】特開２００８−２６９２１２号公報
【特許文献２】特開２００３−２１６８２８号公報
【発明の概要】
【発明が解決しようとする課題】
【０００５】
本発明は、条件を満たす毎に１枚の画像が徐々に現れるように表示を行う画像表示プログラム、画像表示装置、サーバ装置及びラリー実行システムを提供することを課題とする。
【課題を解決するための手段】
【０００６】
本発明による画像表示プログラムは、複数の領域に分割された初期画像を表示部に表示するステップと、前記初期画像の分割領域毎に設定されているタスクが実行されたか否かを判定するステップと、前記タスクが実行されたと判定された分割領域を、メイン画像の対応部分に置き換えて前記表示部に表示するステップと、をコンピュータに実行させるものである。
【０００７】
本発明の一態様では、前記初期画像はカレンダー画像であり、前記分割領域は日付に対応し、前記タスクは、対応する日付の１日の経過である。
【０００８】
本発明の一態様では、音楽アルバムの楽曲データを再生するステップを前記コンピュータにさらに実行させ、前記分割領域には前記音楽アルバムの曲番号が割り当てられており、前記タスクは、割り当てられた曲番号の楽曲の再生である。
【０００９】
本発明の一態様では、電子書籍を閲覧するステップを前記コンピュータにさらに実行させ、前記分割領域には前記電子書籍のページ番号が割り当てられており、前記タスクは、割り当てられたページ番号のページの閲覧である。
【００１０】
本発明の一態様では、前記初期画像は、前記コンピュータの記憶部に格納された寄せ書き文章データの数に分割され、各分割領域に前記寄せ書き文章データが対応付けられており、前記タスクは、前記表示部による前記寄せ書き文章データの表示である。
【００１１】
本発明の一態様では、前記初期画像、前記メイン画像、及び前記タスクの情報をサーバ装置から受信するステップをさらに前記コンピュータに実行させる。
【００１２】
本発明による画像表示装置は、複数の領域に分割された初期画像、メイン画像、及び前記初期画像の各分割領域に設定されたタスクの情報を記憶する記憶部と、前記初期画像の分割領域毎に設定されているタスクが実行されたか否かを判定する判定部と、前記初期画像を表示部に表示し、前記タスクが実行されたと判定した分割領域を前記メイン画像の対応部分に置き換えて前記表示部に表示する画像表示処理部と、を備えるものである。
【００１３】
本発明による画像表示プログラムは、複数の領域に分割された初期画像及びメイン画像をサーバ装置から受信し、前記初期画像を表示部に表示するステップと、現在位置情報を前記サーバ装置へ送信するステップと、前記サーバ装置から前記現在位置情報が指定地点の位置情報と一致しているという判定結果を受信すると、前記初期画像のうち前記指定地点に対応する分割領域を、前記メイン画像の対応部分に置き換えて前記表示部に表示するステップと、をコンピュータに実行させるものである。
【００１４】
本発明によるサーバ装置は、複数の領域に分割された初期画像、前記複数の領域に対応する複数の指定地点の位置情報、及びメイン画像を格納する記憶部と、前記初期画像及び前記メイン画像をユーザ端末へ送信し、前記初期画像が前記ユーザ端末の表示部に表示されるようにする画像送信部と、前記ユーザ端末から現在位置情報を受信し、前記現在位置情報が、前記複数の指定地点の位置情報のいずれかと一致するか否か判定する判定部と、前記判定部による判定結果を前記ユーザ端末に通知し、前記初期画像のうち位置情報が一致した指定地点に対応する分割領域が前記メイン画像の対応部分に置き換えて前記表示部に表示されるようにする判定結果通知部と、を備えるものである。
【００１５】
本発明によるラリー実行システムは、本発明のサーバ装置と、前記サーバ装置から受信した前記初期画像を表示する表示部を有し、現在位置情報を前記サーバ装置へ送信し、前記サーバ装置から前記現在位置情報が指定地点の位置情報と一致しているという判定結果を受信すると、前記初期画像のうち前記指定地点に対応する分割領域を、前記メイン画像の対応部分に置き換えて前記表示部に表示するユーザ端末と、を備えるものである。
【発明の効果】
【００１６】
本発明によれば、条件を満たす毎に１枚の画像が徐々に現れるため、どのような画像か期待しながら長い期間楽しむことができる。
【図面の簡単な説明】
【００１７】
【図１】本発明の実施形態に係る画像販売システムの概略図である。
【図２】（ａ）〜（ｃ）はユーザ端末における表示画面の遷移例を示す図である。
【図３】ユーザ端末のブロック構成図である。
【図４】ユーザ端末の機能ブロック図である。
【図５】（ａ）はカレンダー画像の例を示す図であり、（ｂ）はメイン画像の例を示す図である。
【図６】画像合成方法の例を示す図である。
【図７】画像合成方法の例を示す図である。
【図８】画像表示方法の例を示す図である。
【図９】（ａ）（ｂ）は、初期画像の例を示す図である。
【図１０】寄せ書きデータの例を示す図である。
【図１１】（ａ）〜（ｃ）は表示画面の遷移例を示す図である。
【図１２】メイン画像の出現例を示す図である。
【図１３】画像めくりラリーの例を示す図である。
【図１４】ラリー実行システムの概略図である。
【図１５】サーバ装置の機能ブロック図である。
【図１６】ユーザ端末のブロック構成図である。
【図１７】ユーザ端末の機能ブロック図である。
【図１８】画像表示方法を説明するフローチャートである。
【図１９】画像表示方法を説明するフローチャートである。
【発明を実施するための形態】
【００１８】
以下、本発明の実施の形態を図面に基づいて説明する。
【００１９】
図１に示すように、本発明の実施形態に係る画像販売システムは、販売画像を管理するサーバ装置Ｓと、サーバ装置Ｓと通信可能に接続され、画像の購入処理を行い、購入した画像のデータをサーバ装置Ｓから受信して表示する画像表示装置としてのユーザ端末１とを備える。ユーザ端末１は、スマートフォンやタブレット端末、パーソナルコンピュータ等である。以下の実施形態では、ユーザ端末１がスマートフォンであるとして説明を行う。
【００２０】
ユーザ（顧客）は、ユーザ端末１を操作し、サーバ装置Ｓが提供する画像販売サイトにアクセスする。画像販売サイトでは、カレンダー画像とメイン画像のセットが販売されている。画像販売サイトでは、メイン画像そのものは表示されず、画像テーマの説明やイメージ画像が表示される。画像テーマは、例えば、自然の写真、都会の写真、アフリカの動物写真、小動物の写真、アニメ、漫画、邦画、洋画等である。
【００２１】
ユーザが画像の購入処理を行うと、ユーザ端末１は、サーバ装置Ｓから画像データをダウンロードする。
【００２２】
ユーザ端末１は、図２（ａ）に示すように、カレンダー画像Ｇ１をタッチパネル１０に表示する。カレンダー画像Ｇ１は、複数の分割領域２に分割されている。例えば、１つの分割領域２が１日に相当する。ユーザ端末１に内蔵されている時計機能と連動して、日付が変わる毎に、分割領域２が１つずつ消える。図２（ｂ）に示すように、分割領域２が消えた部分には、メイン画像Ｇ２の一部が表示される。
【００２３】
１ヶ月経過し、全ての分割領域２が消えると、すなわちカレンダー画像Ｇ１が消えると、図２（ｃ）に示すように、メイン画像Ｇ２の全体が現れる。毎日１マスずつカレンダーがめくられるように分割領域２が消えて、メイン画像が徐々に現れるため、ユーザは、メイン画像がどのようなものか期待しながら長期間楽しむことができる。
【００２４】
次に、ユーザ端末１の構成について説明する。図３に示すように、ユーザ端末１は、タッチパネル１０、通信部１１、ＣＰＵ（中央演算部）１２、及び記憶部１３を備える。記憶部１３には半導体メモリ等が用いられ、画像表示プログラムが記憶されている。
【００２５】
ＣＰＵ１２が画像表示プログラムを実行することで、図４に示すように、画像購入処理部１０１、画像受信部１０２、判定部１０３、及び画像表示処理部１０４の機能が実現される。
【００２６】
画像購入処理部１０１は、通信部１１を用いてサーバ装置Ｓが提供する画像販売サイトにアクセスし、販売画面をタッチパネル１０に表示する。ユーザは、販売画面で、画像テーマの説明を読み、イメージ画像を確認し、気に入った画像テーマを選択して画像の購入処理を行う。
【００２７】
画像受信部１０２は、画像購入処理後、通信部１１を用いてサーバ装置Ｓから画像データを受信する。受信した画像データは、記憶部１３に格納される。画像データは、図５（ａ）に示すようなカレンダー画像と、図５（ｂ）に示すようなメイン画像と、タスク情報とを含む。例えば、カレンダー画像及びメイン画像は、それぞれ、１〜１２月の１２ヶ月分ある。
【００２８】
カレンダー画像は複数の分割領域に分割されており、各分割領域を消してメイン画像に置き換えるという、タスク実行に伴う処理が規定されている。タスクは、例えば、日付の変更である。
【００２９】
判定部１０３は、未だメイン画像に置換されていない分割領域２について、タスクが実行されたか否か判定する。例えば、日付が１月１２日から１月１３日に変わると、１月１２日の分割領域２のタスクが実行されたと判定する。
【００３０】
画像表示処理部１０４は、カレンダー画像とメイン画像とを合成し、合成画像をタッチパネル１０に表示する。画像表示処理部１０４は、タスクが実行された分割領域２の部分がメイン画像となり、タスクが実行されていない分割領域２の部分がカレンダー画像となる合成画像をタッチパネル１０に表示する。画像表示処理部１０４は、最初にカレンダー画像を表示し、タスクが実行された分割領域２をメイン画像の対応部分に順々に置き換えていく。
【００３１】
画像合成方法は特に限定されない。例えば、図６に示すように、画像表示処理部１０４は、タスクが実行された分割領域２の部分Ｔを透明化したカレンダー画像Ｇ１をメイン画像Ｇ２上に重ね合わせるように合成することができる。
【００３２】
また、図７に示すように、メイン画像Ｇ２のうち、タスクが実行された分割領域２に対応する領域を抽出して、カレンダー画像Ｇ１上に貼り付けるように合成してもよい。
【００３３】
このようにして、カレンダーが毎日１マスずつめくれてメイン画像Ｇ２が徐々に現れるような表示を行うことができる。
【００３４】
図８に示すように、タッチパネル１０の表示画面の上半側に先月分のメイン画像ＬＧを表示し、下半側に今月分の画像ＴＧ（カレンダー画像Ｇ１及びメイン画像Ｇ２）を表示してもよい。
【００３５】
また、表示画面をスクロールすることで、先月以前のメイン画像を表示したり、来月以降のカレンダー画像を表示したりしてもよい。先月以前のメイン画像をタップすることで、その月のカレンダー画像が表示されるようにしてもよい。
【００３６】
タスクが実行された分割領域２は、自動でメイン画像に置換されるようにしてもよいし、ユーザが分割領域２をタップすることでメイン画像に置換されるようにしてもよい。タスクが実行された分割領域２にマークを付したり、色を変えたりしてもよい。タスクが実行された分割領域２を長押しすることで、タスク実行済みの全ての分割領域２が一括してメイン画像に置換されるようになっていてもよい。
【００３７】
カレンダー画像及びメイン画像の販売単位は、１年（１２ヶ月）分だけでなく、１ヶ月分、２ヶ月分、３ヶ月分、６ヶ月分など、ユーザが選択できるようにしてもよい。
【００３８】
カレンダー画像は、月の最初（１日）から始まってもよいし、画像購入日など、月の途中から始まってもよい。月の途中で画像を購入したユーザも、購入した日から分割領域２２が１個ずつメイン画像に置換され、メイン画像が徐々に現れるのを楽しむことができる。
【００３９】
タスクは、日付の変更に限定されず、例えば週の切り替わりでもよい。この場合、１週間毎に、７個分の分割領域２がまとめてメイン画像に置換され、カレンダー画像がストライプ状にめくられてメイン画像が現れるような表示が行われる。
【００４０】
上記実施形態では、日付単位で分割されたカレンダー画像を初期画像とし、日付が変わると、この日付に対応する分割領域２の部分がメイン画像に置換され、メイン画像の一部が現れる例について説明したが、初期画像やタスクはこれに限定されない。
【００４１】
例えば、図９（ａ）に示すような音楽アルバムの曲番号及び曲名が各分割領域に割り当てられた初期画像であってもよい。タスクは、音楽アルバムの曲の再生となる。ユーザ端末１は楽曲データの再生機能（再生部）を有しており、１曲再生する毎に、対応する分割領域が消えてメイン画像の一部が現れる。例えばアーティストの特典画像がメイン画像として設定される。音楽アルバムの楽曲データがユーザ端末１に格納されていてもよいし、ストリーミング再生でもよい。
【００４２】
また、図９（ｂ）に示すような電子書籍のページ番号が各分割領域に表示された初期画像であってもよい。タスクは、電子書籍のページの閲覧である。ユーザ端末１は、電子書籍の閲覧機能（閲覧部）を有しており、各ページが所定時間以上閲覧（表示）されると、そのページが閲覧されたとみなす。電子書籍を読み進めると、対応する分割領域がメイン画像に置換され、メイン画像の一部が現れる。例えば書籍の内容に関連して有名漫画家が描き下ろした画像がメイン画像として設定される。
【００４３】
上記実施形態に係る画像販売システムは、寄せ書きデータの販売に適用できる。図１０に示すように、寄せ書き作成者は、サーバ装置Ｓに、メイン画像Ｄ１、初期画像Ｄ２、及び文章データＤ３を含む寄せ書きデータを登録する。
【００４４】
例えば、学校の生徒が担任教師のために寄せ書きを作成する場合、メイン画像Ｄ１は、生徒の集合写真となる。初期画像Ｄ２は、生徒の人数（文章データＤ３の数）で分割され、各分割領域に生徒の出席番号や苗字（各分割領域と文章データＤ３とを紐付ける識別情報）が割り当てられる。文章データＤ３は生徒毎に生成され、氏名やメッセージを含む。
【００４５】
ユーザ（教師）は、自身が所有するユーザ端末１を用いてサーバ装置Ｓから寄せ書きデータをダウンロードする。ユーザ端末１には、図１１（ａ）に示すような初期画像が表示される。
【００４６】
ユーザがいずれかの分割領域をタップして選択すると、図１１（ｂ）に示すように、タップした分割領域に表示されている出席番号の生徒の氏名やメッセージが表示され、閲覧できる。ボタンＢを押すと初期画像の画面に戻る。タップした分割領域の部分にはメイン画像が表示される。分割領域をタップしてメッセージの閲覧を進めていくに伴い、図１１（ｃ）に示すように、メイン画像が徐々に現れる。
【００４７】
全ての分割領域をタップしてメッセージを閲覧した後は、メイン画像とメッセージとを別々に表示・閲覧できるようになる。
【００４８】
文章データＤ３の代わりに動画データとしてもよい。この場合、初期画像の分割領域をタップすると、タップした分割領域に対応する生徒のメッセージ動画が再生される。
【００４９】
ユーザ端末１は、図１８に示すように、初期画像の表示ステップ（Ｓ１）、判定ステップ（Ｓ２）、及び初期画像からメイン画像への置換ステップ（Ｓ３）を有する画像表示方法を実行ものであり、タスク実行前は、図１２に示すような分割領域＃１〜＃４に分割された初期画像がユーザ端末１の表示部に表示される（Ｓ１）。タスクが実行されたと判定されると（Ｓ２＿Ｙｅｓ）、このタスクが対応付けられた分割領域がメイン画像の対応部分に置換され、ユーザ端末１の表示部に表示される（Ｓ３）。初期画像の分割領域＃１〜＃４に対応付けられたタスクが実行される度にメイン画像が徐々に現れる。全てのタスクが実行されると（Ｓ４＿Ｙｅｓ）、メイン画像の全体が表示部に表示される。
【００５０】
メイン画像はどのような画像でもよく、またタスクの内容も限定されない。分割領域の形状は特に限定されない。また、各分割領域の形状や大きさが互いに異なっていてもよい。例えば、タスクの難易度が高い程、分割領域が大きくなっていてもよい。
【００５１】
例えば、スタンプラリーのように予め指定された地点を巡ることで、メイン画像が徐々に現れる画像めくりラリーを行うことができる。図１３に示すように、ラリー開始時は、ユーザ端末１にサーバ装置Ｓから受信した初期画像Ｇ１１が表示される。初期画像Ｇ１１は、ラリーで指定されている地点の数に分割されている。図１３では、４つの地点ＬＣ１〜ＬＣ４が指定されているため、初期画像は４つの領域に分割される。ユーザ端末１は、指定された地点を表すマップ画面に表示を切り替えることができる。
【００５２】
ユーザ（ラリー参加者）は、マップを見て指定された地点へ移動する。ユーザは、地点ＬＣ１に到着すると、ユーザ端末１を操作し、到着通知ボタンを押す。到着通知ボタンが押されると、ユーザ端末１は、ＧＰＳ（Global  Positioning  System）機能により取得した現在位置情報をサーバ装置Ｓ（図１４参照）に送信する。
【００５３】
サーバ装置Ｓは、ユーザ端末１から受信した現在位置情報と、指定地点の位置情報とに基づき、ユーザ（ユーザ端末１）が指定地点に到達しているか否かを判定し、判定結果をユーザ端末１に通知する。ユーザ端末１は、地点ＬＣ１に到達しているという判定結果を受信すると、初期画像Ｇ１１のうち、地点ＬＣ１に対応する部分をメイン画像Ｇ１２に置き換える。
【００５４】
ユーザが指定地点ＬＣ２、ＬＣ３、ＬＣ４と移動する毎に、メイン画像Ｇ１２が徐々に現れる。全ての指定地点をまわると、メイン画像Ｇ１２の全体が表示される。例えば、この画像めくりラリーを、アニメや漫画などの作品において物語の舞台やモデルとなった場所、ゆかりのある場所を巡る“聖地巡礼”に適用し、作者が特別に描き下ろした特典画像をメイン画像Ｇ１２に使用することで、作品のファンが画像めくりラリーに多数参加することが期待される。
【００５５】
また、ラリー中にユーザ端末１のカメラで撮影した画像をＳＮＳにアップロードする機能が設けられていてもよい。
【００５６】
図１４に示すように、この画像めくりラリーを実行するシステムは、サーバ装置Ｓと、ユーザ端末１と、メイン画像やラリーを行う地域のマップ等のデータを登録する登録端末３とを備える。登録端末３は、例えば、画像めくりラリーを開催する企業や自治体の端末である。
【００５７】
登録端末３は、メイン画像等の画像データ、マップデータ、画像めくりラリーでまわる指定地点の場所を示す地点情報等をサーバ装置Ｓに登録する。画像データは、初期画像を含んでいてもよい。マップには、指定地点が示されている。
【００５８】
図１５に示すように、サーバ装置Ｓは、登録端末３から受信した画像データ、マップデータ、地点情報等を格納する記憶部５０を備えたコンピュータである。これらのデータは、画像めくりラリーを実施する自治体や企業毎に登録されている。
【００５９】
記憶部５０は、ＣＰＵが各種の処理を実行するために必要なプログラムやデータ等を格納しており、ハードディスクや半導体メモリ等が用いられる。
【００６０】
サーバ装置ＳのＣＰＵが記憶部５０に記憶されているプログラムを実行することで、登録処理部５１、参加受付部５２、画像送信部５３、判定部５４及び判定結果通知部５５の機能が実現される。
【００６１】
登録処理部５１は、登録端末３から、画像めくりラリーの登録を受け付け、画像データ、マップデータ、地点情報等を記憶部５０に格納する。
【００６２】
参加受付部５２は、ユーザ端末１から画像めくりラリーの参加を受け付ける。
【００６３】
画像送信部５３は、参加受付部５２が画像めくりラリーの参加を受け付けると、ユーザ端末１に対し、メイン画像及び初期画像を含む画像データと、マップデータとを送信する。初期画像は、指定地点の数に分割されており、各分割領域に、指定地点の情報が対応付けられている。
【００６４】
判定部５４は、ユーザ端末１から現在位置情報を受信し、このユーザが参加している画像めくりラリーの指定地点の位置情報と比較し、ユーザが指定地点に到達しているか否かを判定する。
【００６５】
判定結果通知部５５は、判定部５４による判定結果をユーザ端末１に通知する。
【００６６】
図１６に示すように、ユーザ端末１は、図３に示す構成に加えて、ＧＰＳ１４及び撮影部１５をさらに備える。撮影部１５は例えばユーザ端末１に内蔵されたデジタルカメラである。記憶部１３には、サーバ装置Ｓから配信されたラリープログラムが格納されている。
【００６７】
ＣＰＵ１２がラリープログラムを実行することで、図１７に示すように、ラリー参加処理部１１１、画像受信部１１２、位置情報送信部１１３、画像表示処理部１１４及びＳＮＳ投稿処理部１１５の機能が実現され、図１９に示す画像表示方法を実行することが可能となる。
【００６８】
ラリー参加処理部１１１は、現在実施中の画像めくりラリーの情報をサーバ装置Ｓから取得し、一覧をタッチパネル１０に表示する。ユーザは、表示された一覧画面から、参加する画像めくりラリーを選択する。ラリー参加処理部１１１は、選択された画像めくりラリーをサーバ装置Ｓに通知する。
【００６９】
画像受信部１１２は、サーバ装置Ｓから、参加する画像めくりラリーに使用される初期画像、メイン画像、マップデータ等を受信する（図１９のステップＳ１１）。
【００７０】
位置情報送信部１１３は、ＧＰＳ１４で測定した現在位置情報をサーバ装置Ｓへ送信する（ステップＳ１３）。
【００７１】
画像表示処理部１１４は、初期画像とメイン画像とを合成し、合成画像をタッチパネル１０に表示する。画像表示処理部１１４は、最初に初期画像を表示し（ステップＳ１２）、サーバ装置Ｓからの判定結果に基づいて、ユーザが到達した地点に対応する分割領域をメイン画像の対応部分に順々に置き換えていく（ステップＳ１４、Ｓ１６）。
【００７２】
ＳＮＳ投稿処理部１１５は、ＳＮＳ投稿ボタン（図示略）をタッチパネル１０に表示する。ＳＮＳ投稿ボタンは複数のＳＮＳ毎に設けられていてもよい。ＳＮＳ投稿ボタンを押すと、ラリー中に撮影部１５を用いて撮影した画像がＳＮＳサーバ（図示略）にアップロードできるようになっている（ステップＳ１８）。ＳＮＳサーバは、ソーシャルネットワーキングサービスを提供する、不特定多数のユーザがアクセス可能なウェブサーバである。ＳＮＳサーバにアップロードされた画像は、多くのユーザに公開され、画像めくりラリーを実施している地域の活性化が期待される。
【００７３】
このようなシステムを用いることで、予め指定された地点に到達する毎に、初期画像の分割領域が１コマずつめくれて、メイン画像が徐々に現れるような表示を行うことができる。全ての指定地点をまわると（ステップＳ１７＿Ｙｅｓ）、メイン画像の全体が表示される。
【００７４】
初期画像は、画像めくりラリーを実施する自治体や企業が準備してもよいし、サーバ装置Ｓが予め有している画像を用いてもよい。初期画像は、指定地点の数に応じてサーバ装置Ｓが自動で分割領域を設定してもよいし、メイン画像を提供する自治体や企業が分割領域の大きさや位置等を設定できるようにしてもよい。
【００７５】
指定地点の到達後に、サーバ装置Ｓがユーザ端末１に問題（クイズ）を送信し、ユーザが正解すると（ステップＳ１５）、初期画像の対応部分がメイン画像に置き換わるようにしてもよい。サーバ装置Ｓから送信される問題は、ラリーを開催している地域を舞台にした作品に関するものでもよいし、その地域に関するものでもよい。例えば、その地域にある飲食店の人気メニューや、土産物店での人気商品を問うものでもよい。クイズは間違えても再度答えを入力することができる。
【００７６】
クイズの正解率が所定値以上である場合、ラリー終了後に、サーバ装置Ｓから特典画像がさらに送信されるようにしてもよい。
【００７７】
画像めくりラリーのゴール地点や、画像めくりラリーが開催されている地域の鉄道の駅などに、公知の画像プリント装置を設置し、ユーザ端末１から画像プリント装置にメイン画像や特典画像のデータを転送して、プリント出力するようにしてもよい（ステップＳ１９）。また、ラリー終了後や、クイズの正解率が所定値以上である場合に、サーバ装置Ｓが、特典画像をプリント出力するためのパスコードを生成し、ユーザ端末１に通知してもよい。
【００７８】
サーバ装置Ｓは、生成したパスコードを保存する。ユーザが、画像プリント装置にパスコードを入力すると、画像プリント装置は入力されたパスコードをサーバ装置Ｓへ送信する。サーバ装置Ｓは、保存しているパスコードと、画像プリント装置から受信したパスコードとを比較し、一致した場合に特典画像を画像プリント装置へ送信する。画像プリント装置は、サーバ装置Ｓから受信した特典画像をプリント出力する。サーバ装置Ｓは、パスコードの比較後、保存しているパスコードに使用済みのフラグを立ててもよい。
【００７９】
サーバ装置Ｓは、ラリー開始にあたり、初期画像とメイン画像のうち初期画像のみをユーザ端末１へ送信し、ユーザが指定地点に到達する毎に、メイン画像のうち指定地点に対応する部分をユーザ端末１へ送信するようにしてもよい。
【００８０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００８１】
１  ユーザ端末
２  分割領域
３  登録端末
１０  タッチパネル
１１  通信部
１２  ＣＰＵ
１３  記憶部
１４  ＧＰＳ
１５  撮影部
５０  記憶部
５１  登録処理部
５２  参加受付部
５３  画像送信部
５４  判定部
５５  判定結果通知部
１１１  ラリー参加処理部
１１２  画像受信部
１１３  位置情報送信部
１１４  画像表示処理部
１１５  ＳＮＳ投稿処理部
Ｓ  サーバ装置
Ｇ１  カレンダー画像
Ｇ２、Ｇ１２  メイン画像
Ｇ１１  初期画像
ＬＣ１〜ＬＣ４  指定地点
【図１】
2020071853.tif 000003
【図２】
2020071853.tif 000004
【図３】
2020071853.tif 000005
【図４】
2020071853.tif 000006
【図５】
2020071853.tif 000007
【図６】
2020071853.tif 000008
【図７】
2020071853.tif 000009
【図８】
2020071853.tif 000010
【図９】
2020071853.tif 000011
【図１０】
2020071853.tif 000012
【図１１】
2020071853.tif 000013
【図１２】
2020071853.tif 000014
【図１３】
2020071853.tif 000015
【図１４】
2020071853.tif 000016
【図１５】
2020071853.tif 000017
【図１６】
2020071853.tif 000018
【図１７】
2020071853.tif 000019
【図１８】
2020071853.tif 000020
【図１９】
2020071853.tif 000021